(57)【特許請求の範囲】
【請求項１】
無線機アセンブリであって、
少なくとも１つの無線機モジュール及びレドームを備え、
前記無線機モジュールは一方の側に配置されたヒートシンク及びもう一方の側の無線機モジュールベースを有し、前記無線機モジュールベースは前記ヒートシンクと前記レドームとの間に配置され、前記ヒートシンクは少なくとも１つの電力ケーブル及び少なくとも１つのデータケーブルをルーティングするためのケーブルチャネルを画定し、
前記無線機アセンブリは前記レドームと前記無線機モジュールベースとの間に配置されたリフレクタをさらに備え、
前記無線機モジュールベースは複数のスタンドオフを含み、前記複数のスタンドオフは、前記リフレクタから前記少なくとも１つの無線機モジュールの実質的な部分をオフセットするように構成される、無線機アセンブリ。
【請求項２】
前記ヒートシンクは複数のフィンを含む、請求項１に記載の無線機アセンブリ。
【請求項３】
前記複数のフィンは、前記複数のスタンドオフに対して４５度に配向される、請求項２に記載の無線機アセンブリ。
【請求項４】
第１の無線機モジュールのヒートシンクの前記複数のフィンは一方向に４５度に向けられ、第２の無線機モジュールのヒートシンクの前記複数のフィンは前記第１の無線機モジュールの反対方向に４５度に向けられる、請求項３に記載の無線機アセンブリ。
【請求項５】
無線機アセンブリであって、
少なくとも１つの無線機モジュール及びレドームを備え、
前記無線機モジュールは一方の側に配置されたヒートシンク及びもう一方の側の無線機モジュールベースを有し、前記無線機モジュールベースは前記ヒートシンクと前記レドームとの間に配置され、前記ヒートシンクは少なくとも１つの電力ケーブル及び少なくとも１つのデータケーブルをルーティングするためのケーブルチャネルを画定し、
前記無線機アセンブリは前記ケーブルチャネルに取り外し可能に挿入されるように構成されたケーブルブリッジをさらに含み、前記ケーブルブリッジは、
複数のケーブル開口と、
複数のガスケットと、を含み、ここで該複数のガスケットの各々が、前記複数のケーブル開口のそれぞれのケーブル開口の周囲を封止するように構成される、無線機アセンブリ。
【請求項６】
前記ケーブルブリッジが前記ケーブルチャネルに挿入されたときに、前記ケーブル開口が封止される、請求項５に記載の無線機アセンブリ。
【請求項７】
前記ケーブルブリッジにはその２つの側面にケーブル開口が設けられ、第１の側面は前記ケーブルチャネルに面し、第２の側面は反対方向に面する、請求項５に記載の無線機アセンブリ。
【請求項８】
前記第２の側面の前記ケーブル開口は、前記ケーブルブリッジの長さに延びる単一の開放された空洞から構成される、請求項７に記載の無線機アセンブリ。
【請求項９】
前記ケーブルブリッジには、前記第２の側面の前記ケーブル開口を封止するためのキャップが設けられる、請求項８に記載の無線機アセンブリ。
【請求項１０】
前記キャップにはヒートシンクフィンが設けられる、請求項９に記載の無線機アセンブリ。
【請求項１１】
請求項５に記載の無線機アセンブリであって、フェースプレートインターフェースボード（ＦＩＢ）をさらに備え、前記ＦＩＢは、
少なくとも１つの光電子コネクタと、
電力ユニットと、を含み、
前記無線機アセンブリはさらに、
電力ユニットと通信する少なくとも１つの電力ケーブルであって、ケーブルブリッジ及び少なくとも１つのケーブル開口を介して前記無線機モジュールにルーティングされる前記少なくとも一つの電力ケーブルと、
前記少なくとも１つの光電子コネクタと通信する少なくとも１つのデータケーブルであって、前記ケーブルブリッジ及び前記少なくとも１つのケーブル開口を介して前記無線機モジュールにルーティングされる少なくとも１つのデータケーブルと、を備える、無線機アセンブリ。
【請求項１２】
前記フェースプレートインターフェースボード（ＦＩＢ）には、追加の光電子コネクタを受け入れるための取り外し可能なタブが設けられる請求項１１に記載の無線機アセンブリ。
【請求項１３】
前記少なくとも１つの電力ケーブル及び前記少なくとも１つのデータケーブルは、非硬化ケーブルである請求項１１に記載の無線機アセンブリ。
【請求項１４】
前記少なくとも１つの無線機モジュールは、１６個の送信無線機及び１６個の受信無線機を有する、請求項１１に記載の無線機アセンブリ。
【請求項１５】
前記無線機アセンブリは、前記ＦＩＢを使用する３２個の送信無線機及び３２個の受信無線機に拡張可能である請求項１４記載の無線機アセンブリ。
【請求項１６】
無線機アセンブリであって、
少なくとも１つの無線機モジュール及びレドームを備え、
前記無線機モジュールは一方の側に配置されたヒートシンク及びもう一方の側の無線機モジュールベースを有し、前記無線機モジュールベースは前記ヒートシンクと前記レドームとの間に配置され、前記ヒートシンクは少なくとも１つの電力ケーブル及び少なくとも１つのデータケーブルをルーティングするためのケーブルチャネルを画定し、
前記無線機アセンブリはさらに、
リフレクタと、ここで前記少なくとも１つの無線機モジュールベースは前記リフレクタ上に配置され、
複数のアンテナを含むレドームと、ここで前記リフレクタは、前記レドーム上に配置され、
少なくとも１つのピンであって、前記少なくとも１つの無線機モジュールベースを前記リフレクタに固定するように構成された少なくとも１つのピンと、をさらに備える、無線機アセンブリ。
【請求項１７】
前記少なくとも１つのピンは、前記複数のアンテナの列のバックローブと整列するように構成される請求項１６に記載の無線機アセンブリ。
【請求項１８】
前記少なくとも１つのピンは、前記複数のアンテナの列のバックローブと整列しないように構成される請求項１６に記載の無線機アセンブリ。
【請求項１９】
前記少なくとも１つのピンは複数のピンを含み、前記複数のピンのうちの少なくとも１つのピンは前記複数のアンテナの列のバックローブと整列するように構成され、前記複数のピンのうちの少なくとも１つの他のピンは前記複数のアンテナの列のバックローブと整列しないように構成される請求項１６に記載の無線機アセンブリ。
【請求項２０】
前記複数のアンテナはダイポールアンテナである請求項１６に記載の無線機アセンブリ。
【請求項２１】
前記無線機アセンブリを表面に固定するためのマウントをさらに備える請求項１６に記載の無線機アセンブリ。
【請求項２２】
前記マウントの一部は、一方の側で前記リフレクタ上に及び／又は前記リフレクタに対して配置され、反対の側で前記ヒートシンク上に及び／又は前記ヒートシンクに対して配置される請求項２１に記載の無線機アセンブリ。
【請求項２３】
前記ヒートシンク及び前記マウントの一部が、ハンドルを提供するためのキャビティを形成するために除去又は彫り込まれる請求項２２に記載の無線機アセンブリ。
【請求項２４】
前記マウントは、前記無線機アセンブリを表面上に巻き上げるためのリフティングタブをさらに備える請求項２３に記載の無線機アセンブリ。
【請求項２５】
無線機アセンブリであって、
少なくとも１つの無線機モジュール及びレドームと、
ここで前記無線機モジュールは一方の側に配置されたヒートシンクと、そのもう一方の側の無線機モジュールベースとを有し、前記無線機モジュールベースは前記ヒートシンクと前記レドームとの間に配置され、前記ヒートシンクは少なくとも１つの電力ケーブル及び少なくとも１つのデータケーブルをルーティングするためのケーブルチャネルを画定し、
前記ケーブルチャネルに取り外し可能に挿入されるように構成されるケーブルブリッジと、を備え、前記ケーブルブリッジは、
複数の開口と、
複数のガスケットとを含み、ここで前記複数のガスケットの各々は複数のケーブル開口のそれぞれのケーブル開口の周囲を封止するように構成され、
前記ケーブルブリッジに取り外し可能に取り付けられるように構成されたキャップと、
リフレクタと、ここで前記無線機モジュールベースは前記リフレクタ上に配置され、前記無線機モジュールベースは複数のスタンドオフを含み、前記複数のスタンドオフは前記リフレクタから前記無線機モジュールの実質的な部分をオフセットするように構成され、
複数のアンテナを含む前記レドームと、ここで前記リフレクタは前記レドーム上に配置され、
少なくとも１つのピンであって、無線機モジュールベースをリフレクタに固定するように構成されている少なくとも１つのピンと、
フェースプレートインターフェースボード（ＦＩＢ）と、ここで前記ＦＩＢは、
少なくとも１つの光電子コネクタと、
電源ユニットと、と含み、
電源ユニットと通信する少なくとも１つの電力ケーブルであって、前記ケーブルブリッジ及び少なくとも１つのケーブル開口を介して前記少なくとも１つの無線機にルーティングされるここで前記少なくとも１つの電力ケーブルと、
前記少なくとも１つの光電子コネクタと通信する少なくとも１つのデータケーブルであって、前記ケーブルブリッジ及び前記少なくとも１つのケーブル開口を介して前記無線機モジュールにルーティングされる、少なくとも１つのデータケーブルと、を備え、
前記少なくとも１つの電力ケーブル及び前記少なくとも１つのデータケーブルは非硬化ケーブルであり、
前記少なくとも１つのピンは、前記複数のアンテナの列のバックローブと整列及び不整列のうちの少なくとも１つである、無線機アセンブリ。
【発明の詳細な説明】
【技術分野】
【０００１】
本発明は無線通信、特にモジュール化された無線及び相互接続を有する無線機アセンブリに関する。
【背景技術】
【０００２】
次世代移動無線通信システム（５Ｇ）又は新無線機（ＮＲ）は、タワーの上、屋上、及び街並みの各場所に配備されるだろう。これらの５Ｇワイヤレス製品は増加した容量及びカバレージを提供し、増加したアンテナ分岐数、変調、ＭＩＭＯ及びＵＥスキームを活用することによって、それ自体を区別する。最適なアンテナ分岐数の市場観は急速に発展しており、無線機へ伝送される及び無線機内のデータはロックステップで増加している。
【発明の概要】
【発明が解決しようとする課題】
【０００３】
＜既存のソリューションの課題＞
既存の無線機アセンブリの実践は新しい５Ｇ無線製品のためのアンテナ分岐数の柔軟性のための適切なモジュラービルディングの実践を提供せず、典型的にはシリアルインターフェースの間で電力及び高速データを分配するための耐候性ケーブルに依存する。例えば、アナログインターフェースを有する既存の低アンテナ分岐数（８アンテナ分岐未満）の無線機アセンブリソリューションは、無線周波数ケーブルをアナログサブシステム間で外部にルーティングすることができる。アナログの場合にアンテナ分岐数が多いほど、複数の無線周波数（ＲＦ）ケーブルが扱いにくくなり、コストが実質的に増加する。デジタルの場合、ハウジング内にシリアルケーブルを維持することは複数の機械的ハウジングを必要とし、これは１６及び３２のアンテナ分岐の例ではすぐに扱いにくくなる可能性がある。技術が２のアンテナ分岐のデバイスから３２のアンテナ分岐のデバイスに発展することにつれて、これらのオプションのいずれもモジュラー方式で良好にスケーリングしない。
【０００４】
また、既存の無線機アセンブリは、パッシブ相互変調（ＰＩＭ）、電磁干渉（ＥＭＩ）及び／又は他の干渉源に悩まされている。特に、ＰＩＭは、ワイヤレスネットワークオペレータにとってますます大きな問題となっている。ＰＩＭは、無線機の感度を低下させ、それによってネットワークの信頼性、スループットなどを低下させるであろう干渉を生成する可能性がある。例えば、受信機は、ＰＩＭに起因して、より弱い信号に対して感度が低くなるであろう。ＰＩＭのわずかな増加でさえ、より多くの誤り訂正ビットを必要とし、それによってデータに使用されるリソースを制限することによって、様々な理由でダウンリンク速度の低下に寄与することが示されている。
【０００５】
ＰＩＭは、いくらかの非線形挙動を示すパッシブデバイス又はコンポーネントに信号が存在するときに発生する。ワイヤレス通信ネットワークの基地局などのワイヤレス通信デバイスでは、ＰＩＭが高電力送信信号がいくらかの非線形性を示す受動デバイス又はコンポーネントを通過するときに発生する。そのような非線形成分は、他の非線形成分の中でもとりわけ、コネクタ、無線機アセンブリなどを含む。いくつかの既存のソリューションはＰＩＭを除去しようと試みるために、無線デバイス信号の事前処理及び／又は後処理を必要とするが、これらのソリューションはＰＩＭの発生源に対処しない。さらに、ＰＩＭを補償するためにワイヤレスデバイス信号の事前処理及び／又は後処理を実施することは、そうでない場合データ処理量及び／又は信頼性を改善するために使用され得る処理リソースを浪費する。
【０００６】
以前には代替のケーブル配線計画が固有の押し出し／鋳造を必要とし、この場合、中間の無線機は光ファイバインターフェースからの入口穴及び遠い無線機への出口を必要とし、遠い無線機は入口ポートのみを必要とし、これは製造コストを増加させ、構造全体内の無線機の位置に応じて固有のの無線機アセンブリを必要とした。
【０００７】
以前の設計では、ケーブル及び導管がアンテナ及びアンテナバックローブのより近くに配置され、ケーブルポートが無線機モジュールの下にあるか、又は無線機モジュールを通っている。これらの設計は、ＰＩＭに対してより影響を受けやすくなっていた。
【０００８】
＜概要＞
いくつかの実施形態は好ましくは少なくとも１つの無線機モジュール及びレドームを有する無線機アセンブリを提供し、それによって、モジュール化された無線機及び相互接続を提供する。
【課題を解決するための手段】
【０００９】
本開示の一態様によれば、無線機アセンブリが提供される。無線機アセンブリは、少なくとも１つの無線機モジュール及びレドームを含む。無線機モジュールは、一方の側に配置されたヒートシンクと、そのもう一方の側の無線機モジュールベースとを有する。無線機モジュールベースは、ヒートシンクとレドームとの間に配置される。ヒートシンクは、少なくとも１つの電力ケーブル及び少なくとも１つのデータケーブルをルーティング（配線）するためのケーブルチャネルを画定する。
【００１０】
この態様の一実施形態によれば、レドームと無線機モジュールベースとの間にリフレクタが配置される。ベースは、複数のスタンドオフを含む。複数のスタンドオフは、少なくとも１つの無線機モジュールの実質的な部分をリフレクタからオフセットするように構成される。この態様の一実施形態によれば、ヒートシンクは、複数のフィンを含む。この態様の一実施形態によれば、複数のフィンは、複数のスタンドオフに対して４５度に配向される。この態様の一実施形態によれば、第１の無線機モジュールのヒートシンクの複数のフィンは一方向に４５度に向けられ、第２の無線機のヒートシンクの複数のフィンは第１の無線機モジュールの反対方向に４５度に向けられる。
【００１１】
この態様の一実施形態によれば、無線機アセンブリは、ケーブルチャネルに取り外し可能に挿入されるように構成されたケーブルブリッジをさらに含む。ケーブルブリッジは、複数のケーブル開口及び複数のガスケットを含む。複数のガスケットの各々は、複数のケーブル開口のそれぞれのケーブル開口の周囲をシールするように構成される。この態様の一実施形態によれば、ケーブル開口は、ケーブルブリッジがケーブルチャネルに挿入されるときに封止される。この態様の一実施形態によれば、ケーブルブリッジはその２つの側面にケーブル開口を備え、第１の側面はケーブルチャネルに面し、第２の側面は反対方向に面する。この態様の一実施形態によれば、第２の側面の開口は、ケーブルブリッジの長さに延在する単一の開放空洞からなる。この態様の一実施形態によれば、ケーブルブリッジは、第２の側面のケーブル開口を封止するためのキャップを備える。この態様の一実施形態によれば、キャップは、ヒートシンクフィンを備える。
【００１２】
この態様の一実施形態によれば、無線機アセンブリは、フェースプレートインターフェースボード（ＦＩＢ）をさらに含む。ＦＩＢは、複数の光電子コネクタと、電源ユニットとを含む。無線機アセンブリは、電力ユニットと通信する少なくとも１つの電力ケーブルと、少なくとも１つの光電子コネクタと通信する少なくとも１つのデータケーブルとをさらに含む。少なくとも１つの電力ケーブルは、ケーブルブリッジ及び少なくとも１つのケーブル開口を介して無線機にルーティングされる。少なくとも１つのデータケーブルは、ケーブルブリッジ及び少なくとも１つのケーブル開口を介して無線機にルーティングされる。この態様の一実施形態によれば、フェースプレートインターフェースボード（ＦＩＢ）には、追加の光電子コネクタを受け入れるための取り外し可能なタブが設けられる。
【００１３】
この態様の一実施形態によれば、少なくとも１つの電力ケーブル及び少なくとも１つのデータケーブルは、非硬化ケーブルである。この態様の一実施形態によれば、少なくとも１つの無線機モジュールは、１６個の送信無線機及び１６個の受信無線機を有する。この態様の一実施形態によれば、無線機アセンブリは、ＦＩＢを使用して３２個の送信無線機及び３２個の受信無線機に拡張可能である。この態様の一実施形態によれば、無線機アセンブリは、リフレクタをさらに含む。少なくとも１つの無線機モジュールベースは、リフレクタ上に配置される。無線機アセンブリは、複数のアンテナを含むレドームをさらに含む。リフレクタは、レドーム上に配置される。無線機アセンブリは少なくとも１つのピンをさらに含み、少なくとも１つのピンは、少なくとも１つの無線機モジュールベースをリフレクタに固定するように構成される。
【００１４】
この態様の一実施形態によれば、少なくとも１つのピンは、複数のアンテナの列のバックローブと整列するように構成される。この態様の一実施形態によれば、少なくとも１つのピンは、複数のアンテナの列のバックローブと整列しないように構成される。この態様の一実施形態によれば、少なくとも１つのピンは、複数のピンを含む。複数のピンのうちの少なくとも１つのピンは、複数のアンテナの列のバックローブと整列するように構成される。複数のピンのうちの少なくとも１つの他のピンは、複数のアンテナの列のバックローブと整列しないように構成される。この態様の一実施形態によれば、複数のアンテナはダイポールアンテナである。この態様の一実施形態によれば、無線機アセンブリを表面に固定するためのマウントが提供される。この態様の一実施形態によれば、マウントの一部は一方の側でリフレクタ上及び／又はリフレクタに対して、反対側でヒートシンク上及び／又はヒートシンクに対してに配置される。この態様の一実施形態によれば、ヒートシンク及びマウントの一部は、取っ手を提供するための空洞を形成するように除去又は彫り込まれる。この態様の一実施形態によれば、マウントは、無線機アセンブリを表面上に巻き上げるためのリフティングタブをさらに備える。
【００１５】
本開示の別の態様によれば。無線機アセンブリは、少なくとも１つの無線機モジュールと、レドームとを含む。無線機モジュールは、一方の側に配置されたヒートシンクと、そのもう一方の側の無線機モジュールベースとを有する。無線機モジュールベースは、ヒートシンクとレドームとの間に配置される。ヒートシンクは、少なくとも１つの電力ケーブル及び少なくとも１つのデータケーブルをルーティングするためのケーブルチャネルを画定する。無線機アセンブリはケーブルチャネルに取り外し可能に挿入されるように構成されたケーブルブリッジを含み、ケーブルブリッジは、複数の開口部及び複数のガスケットを含む。複数のガスケットの各々は、複数のケーブル開口のそれぞれのケーブル開口の周囲をシールするように構成される。無線機アセンブリは、ケーブルブリッジ上に取り外し可能に嵌合されるように構成されたキャップを含む。無線機アセンブリはリフレクタを含む。無線機モジュールベースは、リフレクタ上に配置される。無線機モジュールベースは、複数のスタンドオフを含む。複数のスタンドオフは、リフレクタから無線機モジュールの実質的な部分をオフセットするように構成される。レドームは、複数のアンテナを含む。リフレクタは、レドーム上に配置される。無線機アセンブリは、少なくとも１つのピンを含む。少なくとも１つのピンは、無線機モジュールベースをリフレクタに固定するように構成される。無線機アセンブリは、フェースプレートインターフェースボード（ＦＩＢ）を含む。ＦＩＢは、複数の光電子コネクタと、電源ユニットとを含む。無線機アセンブリは、電力ユニットと通信する少なくとも１つの電力ケーブルを含む。少なくとも１つの電力ケーブルは、ケーブルブリッジ及び少なくとも１つのケーブル開口を介して少なくとも１つの無線機にルーティングされる。無線機アセンブリは、少なくとも１つの光電子コネクタと通信する少なくとも１つのデータケーブルを含む。少なくとも１つのデータケーブルは、ケーブルブリッジ及び少なくとも１つのケーブル開口を介して無線機にルーティングされる。少なくとも１つの電力ケーブル及び少なくとも１つのデータケーブルは、非硬化ケーブルである。少なくとも１つのピンは、複数のアンテナの列のバックローブと整列しているか、又は整列していないかのうちの少なくとも１つである。
【発明の効果】
【００１６】
＜提案するソリューションの利点＞
特定の実施形態は、従来の技術及び技術と比較して潜在的な利益を提供することができる。
【００１７】
本明細書に記載されるケーブルチャネル及びモジュール化を有する無線機アセンブリの利点のいくつかは、以下を含む:
‐非硬化ケーブルにＥＭＩ保護を提供することにより、安価な非硬化ケーブルを使用することができる。
‐一実施形態では、熱伝導度を高めるために、ケーブルブリッジ上のキャップとしてヒートシンクが使用される。以下、キャップについて説明する。
‐すべての接続ポイントへの製造テスト及び論理アセンブリの準備ができたアクセス。
‐現場又は実生活の状況の間、モジュールの交換のための準備ができたアクセス。
‐無線機アセンブリのモジュール性は、革新的な周波数帯域ミックスを市場に投入することを可能にする。例えば、１つの無線周波数帯域で動作する１つの無線機モジュールと、第２の無線周波数帯域で動作する１つの無線機モジュールである。
‐ケーブルチャネル内のケーブルブリッジは、振動減衰を含む、無線機アセンブリのための機械的補強を提供する。
‐全てのガスケット付き表面は、２次元の２表面結合である。
○無線機アセンブリが取り付けられたときに、水が定在することができる限られたガスケット付き表面。
○１つ又は複数の実施形態では、成形された（例えば、円錐形、ピラミッド形、及び／又はハウス形、又は逆Ｖ字形）ガスケットは無線機が設置されるときにケーブルブリッジが垂直になるので、無線機アセンブリ上に水が定在するを防止し、ケーブルブリッジの上部接合部で水が集まるのを防止するために、水を放出する。
‐ケーブルブリッジ及びケーブル開口部を通る後方アクセスは全ての無線ヒートシンク押出成形品が同じであることを可能にし、それによって製造コストを低減する。
‐１つ又は複数の実施形態では、２つの長さのケーブルブリッジを設けることができ、１つは１６個の送信及び１６個の受信（１６Ｔ１６Ｒ）無線機用であり、１つは３２Ｔ３２Ｒ無線機用であり、無線機モジュールなどの最小の機械的／モジュラーピースにカスタマイズを集中させる。
‐ヒートシンク（例えば、フィン）は、垂直な無線機取り付けのために提供される。
○水平取付けはまた、無線機を横に配置することによって、また、反対方向に延びる熱的フィンを有する別個の押出成形によって、このモジュール性で容易に支持される。
例えば、無線機アセンブリが水平に取り付けられる場合、無線機モジュールは、フィンが常に垂直を指すように（少なくともこの実施形態では）、垂直に向けられたフィンを有するだろう。１つ又は複数の実施形態では、ケーブルブリッジがフィンを通して機械加工され、次いで、軸方向ではなく、フィンの向きに対して垂直になるだろう。１つ又は複数の実施形態では、無線機モジュール及びヒートシンクが十字形ケーブルブリッジを有する四角形状の形状であり、それによって、フィン配向のためのモジュール及びヒートシンクの回転をより容易にする。
○あるいは、１つ又は複数の実施形態ではヒートシンクは、無線機アセンブリに対してフィンを再配向する必要なしに、別個の水平及び垂直取り付けを支持するケーブルブリッジを有する４５度の角度のあるフィンを含む。
‐無線機アセンブリによって許可されたモジュラー‐ビルディング‐プラクティスは、ベストプラクティスのＰＩＭ低減技術に従う:
○無線機モジュールの基部、すなわち無線機モジュール基部とアンテナのバックローブ内のリフレクタとの間の限定された金属対金属接触は、このバックローブエネルギーがＰＩＭを励起するので、ＰＩＭの生成を低減する。
○長方形無線機モジュールは、ジョンソンリングアイソレーションに適したアンテナリフレクタへの４接触点取り付け戦略を使用する。
○無線機取り付け脚部（スタンドオフ）の配置位置は、ＰＩＭ感受性を最小限に抑える。１つ又は複数の実施形態では、脚部（スタンドオフ）が以下のようにすることができる:
・インライン、すなわち、アンテナダイポールと整列する;
・隣接するアンテナダイポールの中間、すなわち不整列、
・又はディザリングされた相対位置、すなわち整列及び不整列。
○ケーブルブリッジの位置は、放射素子から離れて配置される。
‐ＰＩＭを低減するために例えば前処理又は後プレスなどの電気的補償を実施することなく、構成された機械的構造及びコンポーネントレイアウトに起因したＰＩＭが低減される。
【図面の簡単な説明】
【００１８】
本実施形態、及びそれに付随する利点及び特徴のより完全な理解は、添付の図面と併せて考慮される場合、以下の詳細な説明を参照することによって、より容易に理解されるのであろう。
【図１】本開示の原理による、モジュール化された無線機及び相互接続を有する例示的な無線機アセンブリの図である。
【図２】本開示の原理による無線機アセンブリの分解図である。
【図３】本開示の原理による無線機アセンブリの別の分解図である。
【図４】本開示の原理による無線機アセンブリの分解図のブロック図である。
【図５】本開示の原理による無線機アセンブリの別の実施形態の分解図のブロック図である。
【図６】本開示の原理による無線機アセンブリの上面図である。
【図７】本開示の原理による無線機アセンブリの正面図である。
【図８】本開示の原理による無線機アセンブリの底面図である。
【図９】本開示の原理による無線機アセンブリの背面図である。
【図１０】本開示の原理による無線機アセンブリの右側面図である。
【図１１】本開示の原理による無線機アセンブリの左側面図である。
【図１２】本開示の原理による無線機アセンブリの別の分解図である。
【図１３】本開示の原理による無線機アセンブリの別の実施形態の一部の斜視図である。
【図１４】本開示の原理による無線機アセンブリの別の実施形態の一部の斜視図である。
【図１５】本開示の原理による無線機アセンブリの別の実施形態の一部の斜視図である。
【図１６】本開示の原理による無線機アセンブリの一実施形態の一部の背面図である。
【図１７】本開示の原理による無線機アセンブリの一部の背面図である。
【図１８】本開示の原理による、雄コネクタ及び雌コネクタを有するケーブルの上面図である。
【図１９】本開示の原理による、ケーブルブリッジを通ってルーティングされたケーブルを有する無線機アセンブリの一実施形態の一部の背面図である。
【図２０】本開示の原理による無線機アセンブリの一実施形態の一部の斜視図である。
【図２１】本開示の別の実施形態による、モジュール化された無線機及び相互接続を有する例示的な無線機アセンブリの図である。
【図２２】図２１の実施形態による無線機アセンブリの分解図であり、図２３は、図２１の実施形態による無線機アセンブリの底面図である。
【発明を実施するための形態】
【００１９】
前述のように、本開示は、モジュール化された無線機及び相互接続を有する無線機アセンブリを有利に説明する。モジュール化は、有利には無線機アセンブリを容易にスケールアップすることを可能にする。例えば、１つ又は複数の実施形態では、１６個の送信機及び１６個の受信機を有する無線機モジュール（１６Ｔ１６Ｒ無線機モジュール）が３２個のアンテナ分岐のために提供されたフェースプレートインターフェースボード（ＦＩＢ）と通信するように配置される。換言すれば、１６Ｔ１６Ｒ用のＦＩＢ設計は同じままであるが、他のコネクタ用の開口部は取り外し可能なプラスチックタブによって覆われる。プラスチックタブは、追加の無線機モジュールのための追加の光電子コネクタのための方法を行うために押されるか、又は破壊される。別の１６Ｔ１６Ｒ無線機モジュールを含むように無線機アセンブリを更新して、送信機／受信機を３２に増加させるには、別の無線機モジュール及びケーブルを追加しながら同じＦＩＢを使用する必要がある。したがって、本明細書に記載の実施形態は、容易なスケーリングを可能にする。
【００２０】
さらに、無線機アセンブリは、電力及び高速シリアルケーブルの両方がＦＩＢから、１６Ｔ１６Ｒ又は３２Ｔ３２Ｒのケーブルブリッジ長内の無線機モジュールのヒートシンク側を横切ってルーティングされる、環境的に硬化したケーブルブリッジを含む。これは、（硬化ケーブルと比較して）安価な非硬化ケーブルの使用を可能にする。１つ又は複数の実施形態では、無線機モジュールとアンテナとの間の無線周波数（ＲＦ）接続がブラインドメイト圧入接続を介して提供され、電磁干渉（ＥＭＩ）耐性であり、無線機とアンテナとの間で圧縮されたウェザーシールガスケットを有する。
【００２１】
例示的な実施形態を詳細に説明する前に、実施形態は主に、無線機アセンブリに関連するデバイスコンポーネントの組合せにあることに留意されたい。したがって、コンポーネントは本明細書の説明の恩恵を受ける当業者に容易に明らかになる詳細で本開示を不明瞭にしないように、実施形態の理解に関連する特定の詳細のみを示す、図面中の従来の記号によって適宜表されている。
【００２２】
本明細書で使用されるように、「第１の」、「第２の」、「上部の」、及び「下部の」などの関係用語は、そのようなエンティティ又は要素間の物理的又は論理的な関係又は順序を必ずしも必要とせず、又は暗示することなく、１つのエンティティ又は要素を別のエンティティ又は要素から区別するためにのみ使用され得る。本明細書で使用される用語は特定の実施形態を説明することのみを目的としており、本明細書で説明される概念を限定することを意図していない。
【００２３】
本明細書で使用されるように、単数形「ａ」、「ａｎ」及び「ｔｈｅ」は文脈が別段の明確な指示をしない限り、複数形も含むことを意図する。さらに、本明細書で使用される場合、用語「備える（comprises）」、「備えている（comprising）」、「含む（includes）」、及び／又は「含んでいる（including）」は述べられた特徴、整数、ステップ、動作、要素、及び／又はコンポーネントの存在を指定するが、１つ又は複数の他の特徴、整数、ステップ、動作、要素、コンポーネント、及び／又はそれらのグループの存在又は追加を排除しないことを理解されたい。別段の定義がない限り、本明細書で使用されるすべての用語（技術用語及び科学用語を含む）は、本開示が属する技術分野の当業者によって一般に理解されるものと同じ意味を有する。さらに、本明細書で使用される用語は本明細書及び関連技術の文脈におけるそれらの意味と一致する意味を有すると解釈されるべきであり、本明細書で明示的にそのように定義されない限り、理想化された、又は過度に形式的な意味で解釈されないことが理解されるのであろう。
【００２４】
本明細書で説明される実施形態では、「と通信している（in communication with）」などの結合用語が例えば、物理的接触、誘導、電磁放射、無線信号、赤外線信号、又は受光信号によって達成され得る、電気通信又はデータ通信を示すために使用され得る。当業者は複数のコンポーネントが相互動作することができ、電気通信及びデータ通信を達成するための修正及び変形が可能であることを理解するのであろう。
【００２５】
同様の参照符号が同様の要素を示す図面を参照すると、図１には、本開示の原理によるモジュール化された無線機及び相互接続を有する例示的な無線機アセンブリ１０の図が示されている。図１に示すように、無線機アセンブリの図は主に放熱フィンを有する無線機の後部、すなわち、アンテナレドームがエンドユーザの方を向いている無線機の前端側がポール取付けに使用される側を示す。
【００２６】
無線機アセンブリ１０は、無線機モジュール１１ａ〜ｂなどの少なくとも１つの無線機モジュール１１を含む。本明細書で使用されるように、無線機モジュール１１は、無線機モジュール１１ａ〜ｂのうちの１つ又は複数を指す。２つの無線機モジュール１１が示されているが、本開示の原理による無線機アセンブリ１０の１つ又は複数の実施形態に、２つより多い又は少ない無線機モジュールが等しく適用可能である。無線機アセンブリ１０は、本明細書で説明されるように、無線機アセンブリ１０の様々な部分を支持し、無線機を取り付けるために使用される壁、マスト、及び他の表面に無線機アセンブリを固定するために使用されるマウント１２を含む。マウント１２は、アルミニウム又は他の適切な金属から構成され得る。マウントの少なくとも一部は、リフレクタ１４上及び／又はリフレクタ１４に対して配置される。リフレクタ１４は、電磁エネルギーの方向を変えるように構成される。１つ以上の実施形態では、リフレクタ１４が隣接するアンテナレドーム１６（レドーム１６と呼ばれる）に取り付けられ、及び／又は配置される。レドーム１６は以下で詳細に説明するように、１つ又は複数のアンテナを収容するように構成される。無線機アセンブリ１０は、１つ以上のエンドプレートを含む各無線機モジュールは、無線機モジュールベース１８（ベース１８と呼ぶ）を有する。図１のアセンブリの向きを考慮して、本開示では基部としてラベル付けされているが、ベース１８はカバーとしても機能し、外側要素から無線機モジュール電子機器を耐候性にする役割を果たすことに留意されたい。ベース又はカバーとしてラベル付けされているかにかかわらず、無線機アセンブリのこの部分は、一方の側の無線機モジュール電子機器を、他方の側の無線機モジュールヒートシンクで囲むように作用する。１つ又は複数の実施形態では、レドーム１６が電波に対して透過性であるか、又は電磁波の最小限の減衰を提供する材料から作製される。１つ又は複数の実施形態では、ベース１８は、本明細書で説明するように、１つ又は複数のフィルタ、１つ又は複数の無線機、及び１つ又は複数のシールドを含む。
【００２７】
ベース１８は、ベース１８とリフレクタ１４との間に間隔、ギャップ、又はオフセット２５を提供するように構成された１つ又は複数のスタンドオフ２０を含み、それによって、スタンドオフが基部とリフレクタとをある距離だけ離間させるのを助けるので、ベース１８とリフレクタ１４との間の物理的接触を低減する。図１０を参照すると、ギャップ２５が見える。１つ又は複数の実施形態では、スタンドオフ２０がＰＩＭの軽減に有益である。ＰＩＭは、未定義の金属と金属との接触を介して誘導される。スタンドオフ２０は（１）スタンドオフ２０は、無線機モジュールの基部がリフレクタ１４に接触しないように無線機モジュールの基部を持ち上げること、及び（２）スタンドオフ２０は（１つ又は複数の実施形態では）、ジョンソンリングによってさらに改善された画定された表面を提供し、その結果、無線機モジュールの基部とリフレクタ１４との間の接触力及び接触表面（すなわち、接触点２２）が正確に制御されることの、少なくとも２つの事柄を達成する。ジョンソンリングは、ベース１８がリフレクタ１４に対してしっかりと固定されたときに高い接触力を受けることができる一方で、低い電気抵抗を与えることが知られている。１つ以上の実施形態では、ベース１８とリフレクタ１４との間の直接接触は接点２２に限定される。一実施形態では無線機アセンブリが２つの無線機モジュールを有する場合、無線機アセンブリ１０は２つの無線ベース１８が実装される場合に８つの接点２２を有するように構成され、１つのベース１８又は１つの無線機モジュール１１が実装される場合に４つの接点が実装される。ベース１８とリフレクタ１４との間の接点の減少は、無線機アセンブリ１０のパッシブ相互変調（ＰＩＭ）感受性を最小にするのに有利に役立つ。
【００２８】
無線機アセンブリ１０はベース１８に対して、ベース１８の上に、及び／又はベース１８に隣接して取り付けられた１つ又は複数のヒートシンク２４を含む。１つ又は複数の実施形態では、ヒートシンク２４が互いに実質的に平行な複数のフィンを含む。１つ又は複数の実施形態では、水の排出及び／又は気流に適応するためにフィンを回転させることなく無線機アセンブリ１０の垂直及び水平の取り付けに適応するように、複数のフィンが周囲に対して４５度の角度をなしている。本開示の原理に従って、他のフィン形状及び／又は向きが可能である。１つ又は複数の実施形態では、ヒートシンク２４が無線機アセンブリ１０の一部として個別に配置された複数のヒートシンク２４を含む。１つ又は複数の実施形態では、ヒートシンク２４が無線機モジュール間のケーブルブリッジ又はガイドを介して１つ又は複数のケーブルをルーティングするためのトラフ又はケーブルチャネルを画定する（以下で説明する）。換言すれば、ヒートシンク２４は、本明細書に記載されるようなチャネルを用いて設計／機械加工された構造である。１つ又は複数の実施形態では無線機アセンブリ１０のモジュラーブロックが無線機モジュール１１と呼ばれ、無線機モジュール１１はヒートシンク２４とベース１８と、明細書に記載されているヒートシンク２４とベース１８との間に位置する他のコンポーネントとを含む。無線機アセンブリ１０は、ケーブルチャネルに取り外し可能に挿入され、ケーブルブリッジ４２（図２）の上にあるように構成されているキャップ２６を含む。図１に示すキャップ２６は、無線機アセンブリ１０の熱的接続性を有利に高めるためにヒートシンクフィンを有する。１つ以上の実施形態において、フィンは、キャップから除去される（図２１及び２２を参照のこと）。１つ以上の実施形態では、マウント１２に隣接するヒートシンク２４の一部は、設置者がマウント１２を把持し、したがって無線機アセンブリ１０を把持するためのハンドル位置を提供するように、製造中にキャビティを提供するために除去又は彫り込まれる。いくつかの実施形態では、ヒートシンク２４及びキャップ２６は、当技術分野で知られているようなヒートシンクとして機能するのに適した材料で作られる。
【００２９】
無線機アセンブリ１０はまた、フェースプレートインターフェースボード（ＦＩＢ）２８を含む。１つ又は複数の実施形態ではＦＩＢ２８が３２個のアンテナ分岐のために提供されるが、ＦＩＢ２８はより多くの又はより少ないアンテナ分岐をサポートすることができる。ＦＩＢ２８は、１つ以上の実施形態において、光信号の電気信号への変換、及び電源からの電力を無線機アセンブリ１０内のコンポーネントに分配することなど、いくつかの機能を提供し、それによって、すべてのケーブルを１つの領域に集中させて、無線機モジュール１１のモジュール性及び増大を容易にすることを可能にする。この例における無線機モジュール１１はユーザフレンドリな方法で無線機のモジュール化及びスケーリングを可能にするように、無線機アセンブリ１０に取り外し可能に取り付けられたベース／エンクロージャ１８、ヒートシンク２４、無線機、シールド、及びフィルタの構成を指す。ＦＩＢ２８は、１つ又は複数の光電気コネクタ３０と、電源（図示せず）に接続する電源ユニット３２と、ケーブル及びコネクタなどの他の要素とを含む。したがって、ＦＩＢ２８は、本明細書で説明されるように、様々な数の無線機をサポートする単一のインターフェースを有利に提供する。
【００３０】
図２は、本開示の原理による無線機アセンブリ１０の分解図である。ケーブルチャネル３４は複数のヒートシンク２４によって画定され、すなわち、ケーブルチャネル３４は各ヒートシンク２４がケーブルチャネル３４の少なくとも一部を提供するように（例えば、第１のヒートシンク２４は第２のヒートシンク２４の第２のケーブルチャネル３４と整列する第１のケーブルチャネル３４で設計／機械加工される）、各無線機モジュール上のヒートシンクフィンの非存在によって生成され、非硬化ケーブル、例えば、非絶縁ケーブルのＥＭＩ保護を有利に提供する。過去において、直列／データケーブルとアンテナとの近接はＥＭＩの主な原因であったが、無線機アセンブリ１０は有利にはケーブルがレドーム１６内のアンテナから遠位に位置する、すなわち、無線機アセンブリ１０の反対側又は一部に位置する、ケーブルチャネル３４内のケーブルブリッジ４２を通ってルーティングされることを可能にし、これにより、ケーブルがアンテナに近接することによるＥＭＩを防止及び／又は低減するのを助ける。従来技術のシステムでは、硬化又は絶縁ケーブルを使用して、いくつかのＥＭＩ軽減を達成することができる。これらは、ケーブルのアンテナへの近接に起因するＥＭＩを低減するのに役立ち、硬化ケーブルはより厚く、又はよりかさばり、したがって、設置のための操作を困難にし、無線機アセンブリのコストを増大させる。ケーブルブリッジ４２は非硬化ケーブルを支持し、ルーティングするように構成されることが有利である。
【００３１】
１つ又は複数の実施形態では、ケーブルブリッジ４２の長さは１つ又は複数の無線機モジュール１１（例えば、ベース１８、ヒートシンク２４など）の追加又は除去によって自動的に調整される。無線機アセンブリ１０、特にリフレクタ１４は、１つ以上のピン３８を受け入れるための１つ以上の締結開口３６を含み、それによって、ヒートシンク２４、キャップ２６、ベース１８、及び／又は無線機アセンブリ１０の他の要素をリフレクタ１４及び／又はレドーム１６に締結する。キャップ２６は、所定の位置にあるときにケーブルブリッジに耐候性シールを提供し、取り外されたときにケーブルブリッジ開口４３を介して電力及びデータケーブル及びコネクタへのアクセスを提供する。本明細書で使用されるようにピン３８は、１つ又は複数のタイプのネジ、スナップフィットピン、又は締結開口３６と接続するように構成された他の要素を指す。無線機アセンブリ１０は無線機アセンブリ１０を持ち上げるための、例えば、無線機アセンブリ１０をセルラータワー上の位置に持ち上げるための、無線機アセンブリ１０の取り付け場所を提供するリフトタブ４０を含む。さらに、接触点２２はベース１８とリフレクタ１４とが接触する場所を示すために、破線で示されている。無線機アセンブリ１０の本実施形態では、８つの接点２２（ベース１８当たり４つの接点）がある。図示のように、ベース１８とリフレクタ１４との間の接触は最小限である。
【００３２】
図３は、本開示の原理による無線機アセンブリ１０の別の分解図である。一実施形態では、ケーブルブリッジ４２がケーブルブリッジの長さを延ばすキャップ２６の下の一方の側の開放キャビティと、ケーブルを１つ又は複数の無線ボード又はトランシーバ４４に沿ってＦＩＢ２８から個々のコネクタに案内するために無線機モジュールに対向する１つ又は複数のケーブル開口４３とを有する。別の実施形態では、ケーブルブリッジ４２がケーブルをその中に取り外し可能に挿入するために、そのそれぞれの側に１つ又は複数のケーブル開口４３を含む。１つ又は複数の実施形態では、ケーブルブリッジ４２は、ヒートシンク２４がケーブルブリッジ４２と、関連するケーブル開口４３及びガスケット（以下で論じる）と、本明細書で論じるケーブルブリッジ４２の他の要素とを含むように、ヒートシンク２４に一体化される。一実施形態では、キャップ２６がケーブルブリッジ４２及びそのキャビティを一方の側で覆うか、又は開口が各側で使用される場合には開口を覆う。一実施形態では、キャップ２６はヒートシンクフィンを含む。無線ボード４４はレドーム１６の背後に配置された１つ又は複数のアンテナに信号を送信し、レドーム１６の背後の１つ又は複数のアンテナ、例えば、１６Ｔ１６Ｒ無線機、３２Ｔ３２Ｒ無線機などから１つ又は複数の信号を受信するように構成された１つ又は複数の送信無線機及び／又は１つ又は複数の受信無線機に対応する。無線機アセンブリ１０は、電磁シールドを提供するためにＰＣＢ４４の領域に電気的絶縁を提供する１つ又は複数のシールド４６を含む。無線機アセンブリ１０は、当技術分野で知られている信号フィルタリング機能を提供するための１つ又は複数のフィルタ４８を含む。
【００３３】
図４は、本開示の原理による無線機アセンブリ１０の分解図のブロック図である。具体的には図４に示す実施形態が２つの無線機モジュール１１を含み、各無線機モジュール１１は合計３２個の送信無線機及び３２個の受信無線機のための４つの無線ボード又はトランシーバ４４を有する。チャネルブリッジ４２の長さは、ヒートシンク２４及びＦＩＢ２８の一部の両方をカバーするか、又は実質的に等しく、それによって、データケーブル（例えば、シリアルケーブル）及びＦＩＢ２８から始まる電力ケーブルの両方がケーブルブリッジ４２、１つ以上のケーブル開口４３（図４には図示せず）にルーティングされることを可能にする。キャップ２６は簡明さのために省略されているが、ケーブル、例えば、直列２／３及び電力２／３はチャネルブリッジ４２及びキャップ２６によって完全に囲まれるだろう。換言すれば、キャップ２６及びケーブルブリッジ４２は、互いに接触して、ケーブルチャネル３４を通って配線される１つ以上のケーブルを完全に囲む。１つ又は複数の実施形態では、リフレクタ１４は、ベース１８にスナップフィットされ、アンテナダイポール（図１３〜図１５）の無線ボード４４への接続を可能にするように構成された１つ又は複数の圧入コネクタ５０を含む。本実施形態では、１つの無線機モジュール１１がそれぞれ８Ｔ８Ｒ構成の２つの無線基板を備えている点に留意すべきである。したがって、各無線機モジュール１１は、合計１６個の送信無線機及び１６個の受信無線機を有する。
【００３４】
図５は、本開示の原理による無線機アセンブリ１０の別の実施形態の分解図のブロック図である。この実施形態では、無線機アセンブリ１０が図４の無線機アセンブリの容量の半分、すなわち、１つの無線機モジュール１１を有する１６Ｔ１６Ｒ無線機を提供するように構成される。図５に示すように、１つの無線機モジュール１１の１つのベース１８、ヒートシンク２４、及び対応するハードウェアはモジュラー方式で無線機アセンブリ１０から省略又は除去されており、それによって１６Ｔ１６Ｒ無線構成を提供する。無線機アセンブリ１０は、有利にはモジュラー式ブロック／コンポーネントを容易に追加又は無線機アセンブリ１０から取り外すことを可能にする。キャップ２６及びケーブルブリッジ４２は、単一の無線機モジュールに到達するだけでよいので、半分のスペースしか必要としない。
【００３５】
図６は、本開示の原理による無線機アセンブリ１０の上面図である。キャップ２６は３つのフィンを有するように示されているが、キャップ２６は無線機アセンブリの放熱の必要性に応じて、３つより多い又は少ないフィンを有するか、又はフィンを有さないように構成可能である。図７は、本開示の原理による無線機アセンブリ１０の正面図である。リフトタブ４０は、マウント１２から延びて、無線機をポール又は建物に巻き上げるのを助ける。図８は、本開示の原理による無線機アセンブリ１０の底面図である。４つの光電子コネクタ３０、すなわち光電子コネクタ３０が示されているが、無線機アセンブリは無線機アセンブリが１６Ｔ１６Ｒ無線で構成されている場合など、１つ又は複数の実施形態では４つ未満の光電子コネクタ３０で構成可能であることが有利である。
【００３６】
図９は、本開示の原理による無線機アセンブリ１０の背面図である。図１０は、本開示の原理による無線機アセンブリ１０の右側面図である。特に、図１０は、２つの無線機モジュール１１を有する３２Ｔ３２Ｒ無線構成を示す。各無線機モジュール１１は、１６Ｔ１６Ｒ構成を有する。これにより、各無線機モジュール１１は、１６個の送信無線機と１６個の受信無線機を有する。さらに、ベース１８のスタンドオフ２０は、ベース１８とリフレクタ１４との間の接触を最小限に抑えるように構成され、それによってＰＩＭを低減するのに役立つ。接触の最小化は、各接触点２２によって形成されるギャップ２５によって示されている。図１１は、本開示の原理による無線機アセンブリ10の左側面図である。図１２は、レドーム１６のから見た無線機アセンブリ１０の別の分解図である。図１２に示されるように、ケーブルブリッジ４２はデータ及び電力ケーブルをケーブル開口４３に取り外し可能に挿入することができるように、１つ又は複数のサイズ、形状などのいくつかのケーブル開口４３を含む。１つ又は複数の実施形態では、ケーブル開口４３がより広いケーブルを受け入れるように構成され、より広いケーブルはねじれ、次いでケーブル開口内に案内される。これは、部分的には、無線機アセンブリ１０で非硬化ケーブルを使用可能であることに起因して可能になる。
【００３７】
図１３は、本開示の原理による無線機アセンブリ１０の別の実施形態の一部の斜視図である。ダイポールアンテナ５２は、アンテナリフレクタ１４とレドーム１６との間に配置される（図３参照）。図１３に表される図は、ダイポールアンテナ５２と取り付けピン３８との整列を示す。特に、１つ以上のピン３８はＰＩＭ生成に第１の効果を提供するように、ダイポールアンテナ５２のそれぞれの列と整列される。ＰＩＭ生成に対する第１の効果は、ＰＩＭ生成の低減である。この構成は、ダイポールアンテナ５２を有するスタンドオフ２０整列させ、したがってダイポールアンテナ５２の列によって生成されるバックローブフィールドと整列させる。１つ又は複数の実施形態では、ダイポールアンテナ５２が交差偏波ダイポールアンテナである。図１４は、本開示の原理による無線ホース１０の別の実施形態の一部の斜視図である。この実施形態では、１つ又は複数のピン３８がダイポールアンテナ５２と整列しないように構成され、したがって、ダイポールアンテナ５２の列によって提供されるバックローブフィールドに対して整列しないように構成され、それによって、第１の効果とは異なるＰＩＭ生成に対する第２の効果を提供する。１つ又は複数の実施形態では、ＰＩＭ生成に対する第２の効果が第１の効果とは異なるレベルのＰＩＭ生成の低減である。１つ又は複数の実施形態では、ダイポールアンテナ５２、すなわちアンテナアレイは１６Ｔ１６Ｒについては６-１サブアレイ及び遠隔電気傾斜（ＲＥＴ）を有し、３２Ｔ３２Ｒについては３-１サブアレイを有し、ＲＥＴを有しない９６個の要素を有する。
【００３８】
図１５は、本開示の原理による無線機アセンブリ１０の別の実施形態の一部の斜視図である。特に、ピン３８はダイポールアンテナ５２及びダイポールアンテナ５２によって生成されるバックローブフィールドに対してディザリングされ、その結果、１つ又は複数のピン３８はダイポールアンテナと整列するように構成され、１つ又は複数の他のピン３８はＰＩＭ生成に第３の効果を与えるように、ダイポールアンテナと不整列になるように構成される。ＰＩＭ生成に対する第３の効果は、ＰＩＭ生成に対する第１及び第２の効果とは異なる。１つ又は複数の実施形態では、ＰＩＭ生成に対する第３の効果が第１及び第２の効果とは異なるレベルのＰＩＭ生成の低減である。
【００３９】
図１６は、本開示の原理による無線機アセンブリ１０の一実施形態の一部の背面図である。図１６の実施形態では、ケーブルブリッジ４２がデータ及び電力ケーブル開口４３を示すために取り除かれている。ケーブルはＦＩＢ２８からケーブルブリッジ（図示せず）及び複数のケーブル開口４３を通ってルーティングされ、各ケーブルは無線機への接続のためにケーブル開口４３を通って位置決めされ得る。１つ又は複数の実施形態では、ケーブル開口４３は、設置者がケーブルコネクタを無線機４４上のマットコネクタに案内することができるように、長方形の形状である。無線機アセンブリ１０が非硬化ケーブルを使用することを可能にするので、データ及び電力ケーブルは無線機４４に接続するために、ケーブル開口４３内にねじられる及び／又は曲げられることができ、すなわち、ケーブルは、天候硬化ケーブルよりも剛性が低く、それによって、より容易な設置を可能にする。
【００４０】
図１７は、本開示の原理による無線機アセンブリ１０の一部の拡大図である。１つ又は複数の実施形態では、１つ又は複数の成形ガスケット５４がケーブルブリッジ４２の表面上の１つ又は複数のケーブル開口４３に取り付けられる。キャップ及びケーブルブリッジは、通常、ケーブルチャネル上に重ね合わされ、ケーブル開口部を覆う。１つ以上の実施形態では、ガスケット５４は長方形の形状を有する。１つ又は複数の実施形態では、ガスケット５４が無線機アセンブリ１０の上部に面する尖った又は傾斜した側面を含み、その結果、ポール又は他の表面に垂直に取り付けられたときに、無線機アセンブリ１０を下方に流れる水はガスケットの上面に残らず、すなわち、成形されたガスケットは水が定在する代わりに、水を放出する。１つ又は複数の実施形態では、ガスケット５４がケーブルチャネル及びケーブルブリッジの表面間のそれぞれのケーブル開口４３の周囲を封止するように構成される。無線機が水平に取り付けられる場合、すなわち、無線機アセンブリ１０の長尺が地面に対して水平である場合、水がケーブル開口４３から離れて分配されるように、尖った側又は傾斜した側を配置することができる。
【００４１】
図１８は、本開示の原理による、雄コネクタ５８及び雌コネクタ６０を有するケーブル５６の上面図である。ケーブル５６は、複数の個別にシールドされたワイヤを含む。例えば、１つ以上の実施形態では、ケーブル５６はクロストークに対する保護を提供するために、シールドされたワイヤの１つ以上の個々の対を含む。ただし、ヒートシンクキャップ２６及びチャネルブリッジ４２は電磁適合性（ＥＭＣ）及びＰＩＭの軽減を提供するその長さに沿ってケーブルを完全に囲むので、フルケーブル５６はシールドされない。雌コネクタ６０は無線機４４に固定され、いくつかの実施形態ではケーブル開口４３と整列され、それによって、設置者はケーブル５６を雄コネクタ５８でケーブル開口４３を通して雌コネクタ６０内に案内することができる。１つ又は複数の実施形態ではケーブル５６が高速電気データ通信などのデータ通信に使用され、一方異なるケーブルは電力に使用される。電力ケーブルは、依然として、ケーブル開口４３を通ってルーティングされることができる。
【００４２】
図１９は本開示の原理に従って、ケーブル５６がケーブルチャネル３４を通ってルーティングされるが、明確にするためにケーブルブリッジ４２が除去された、無線機アセンブリ１０の一実施形態の一部の背面図である。データ及び／又は電力ケーブルのようないくつかのケーブル５６はマルチケーブル開口４３から、ケーブルチャネル４２（図１２参照）を介して、各無線機モジュールのそれぞれのケーブル開口４３にルーティングされ、無線機４４のようなベース１８内の１つ又は複数の要素に接続される。１つ以上の実施形態では、高速データを通信するために図１８に示されたような１つのワイヤ５６が使用される場合、互いに上にワイヤ５６が積み重ねられる（分かりやすくするために図１９には示されていない）。
【００４３】
図２０は、本開示の原理による無線機アセンブリ１０の一実施形態の一部の斜視図である。ヒートシンク２４ａは、レドームの側面に対して４５度に向けられたフィンを含む。例えば、複数のフィンは、複数のスタンドオフ２０に対して４５度に配向される。１つ又は複数の実施形態では、ヒートシンク２４ａ〜２４ｂは、図１８に示すのと同じような態様で配向されたフィンを有するように構成される。１つ又は複数の実施形態では、１つ又は複数のヒートシンク２４がフィンが他のヒートシンク２４の他のフィンに対して垂直になるように配向される。例えば、ヒートシンク２４ｂのフィンは代わりに、ヒートシンク２４ａ上のフィンに垂直な向きになるように、ヒートシンク２４ｂ上に引かれた矢印に平行になるように配向されてもよい。図１９の実施形態の１つの利点は、無線機４４からヒートシンク２４への放熱が無線機アセンブリ１０が垂直又は水平に取り付けられたときに依然として機能することである。別の実施形態では、ヒートシンクフィンが四角形状のパターン２４ｃを有する。
【００４４】
図２１は、本開示の別の実施形態による無線機アセンブリ１００の斜視図である。この実施形態では、マウント１１２は、技術者又は設置者が適切な表面上への無線機アセンブリの梱包解除、持ち上げ、及び取り付け中に無線機アセンブリ１００を操作することを可能にするために、内蔵リフトハンドル１１３を備える。無線機アセンブリは、無線機モジュール１１１ａ-ｂ及びＦＩＢ１２８に隣接して取り付けられているサイドパネル１１５を使用してさらに環境的に保護される。同様に、レドーム１１６には、さらなる環境保護を提供するために、サイドパネル１１５と接触してさらに延在するサイドエッジが設けられる。この実施形態では、キャップ１２６にヒートシンクフィンを設けず、製造コストを低減する一方で、放熱のための良好な表面積を提供し、各無線機モジュールの中心での空気流を改善する。マウント１１２には、さらに、リフトタブ１２７が提供され、電柱、建物等のような高い位置に設置され、取り付けられたときに、無線機アセンブリを所定の位置に持ち上げ、又は巻き上げるために、持ち上げケーブル及び把持フックの使用を可能にする。したがって、設置者は、無線機アセンブリを設置するために自分の手を自由に使用することができる。無線機の耐候性は、電力ユニット１３２のための旋回カバー１３２を追加することによってさらに改善される。
【００４５】
図２２は、図２１の無線機アセンブリの簡略化された分解図である。内蔵リフトハンドル１１３及びリフトタブ１２７を有するマウント１１２は、無線機モジュールの周りに部分的に巻き付けられて、強化された剛性を提供する。
【００４６】
ケーブルブリッジ１４２は一方の側に単一の開放キャビティを有し、他方の側に開口１４３を有する。ケーブルブリッジ１４２は、ケーブルブリッジの開放キャビティをシールするためにキャップ１２６を利用する。この実施形態では、キャップ１２６が上述のようにヒートシンクフィンを有していない。先に示したように、ケーブルブリッジ１４２はＰＩＢ １２８から各無線機モジュール１１１ａ〜ｂに延びるデータケーブル及び電力ケーブルに、構造的剛性、電磁絶縁、耐候性、及びアクセスを追加する。
【００４７】
図２３は、無線機アセンブリ１００の底面図である。図示されているヒートシンクフィン１２４は、ケーブルブリッジ１４２のキャップ１２６がこの実施形態ではヒートシンクフィンを有していないので、ＦＩＢ１２８のものである。図２３は、電力ユニット１３２のカバー１３３の側面図を示す。設置者はカバー１３３を回動させることにより、電力ユニット１３２にアクセス可能である。
【００４８】
１つ又は複数の実施形態では、無線機アセンブリ１０のアセンブリが以下のように行われる:
【００４９】
１．ＦＩＢ２８の組み立て：
ａ．ヒートシンク２４は下向き
ｂ．ＦＩＢ２８カードを設置する
ｃ．ＦＩＢ２８カバーを設置する
ｄ．ピン３８と一緒にネジ止め
ｅ．ＦＩＢ２８をテスト
【００５０】
２．無線サブシステムの組み立て：
ａ．ヒートシンク２４は下向き
ｂ．無線機４４ボードを２つ設置する
ｃ．２つの無線シールド４６を設置する
ｄ．無線機４４及びシールド４６をベース１８にネジ止め
ｅ．コネクター・ビュレット５０をフィルター４８に設置する
ｆ．フィルタ４８をピン３８でネジ止め
ｇ．ベース１８を設置してヒートシンク２４にネジ止め
ｈ．無線機をテスト
【００５１】
３．フルシステムの組み立て：
ａ．ダイポールアンテナ５２を、ダイポールを下向きに配置
ｂ．コネクタ・ビュレットをフィルタ４８に設置する
ｃ．２つの無線機サブシステムを設置し、ネジ止め
ｄ．ＦＩＢ２８ を１ つ設置し、ネジ止め
ｅ．ケーブルブリッジ４２の底部にガスケット５４を設置
ｆ．電力及び高速シリアルケーブル５６を設置
ｇ．キャップ２６にガスケット５６を設置
ｈ．ネジケーブルブリッジ４２とキャップ２６を一緒にケーブルチャネル３４にネジ止め
ｉ．組み立てられた無線機アセンブリ１０をテスト
【００５２】
したがって、無線機アセンブリ１０はＦＩＢ２８と、拡張可能な数の無線機モジュール１１（すなわち、フィルタ４８、無線機４４などを有するレドーム１８）とを用いたモジュラービルディングの実施を可能にし、これらの無線機モジュールは、ケーブルブリッジ４２に沿って配線されたケーブルを介して、ＥＭＩ及びＰＩＭ管理され、環境的に封止された方法で接続される。また、無線機アセンブリ１０は製造及びテストを一貫して容易にし、低コストの非硬化ケーブルを使用することを可能にする。
【００５３】
当業者によって理解されるように、本明細書で説明される概念は、無線機アセンブリ又はデバイスとして具現化され得る。多くの異なる実施形態が、上記の説明及び図面に関連して本明細書に開示される。これらの実施形態のすべての組み合わせおよびサブコンビネーションを文字通り説明し、例示することは、不当に反復的かつ難解であることは理解されるであろう。したがって、すべての実施形態は任意の方法及び／又は組み合わせで組み合わせることができ、図面を含む本明細書は、本明細書に記載された実施形態のすべての組み合わせ及びサブコンビネーション、ならびにそれらを作製及び使用する方法及びプロセスの完了書面による説明を構成すると解釈されるべきであり、そのような任意の組み合わせ又はサブコンビネーションに対する特許請求の範囲をサポートするものとする。
【００５４】
当業者であれば、本明細書に記載された実施形態は、本明細書に特に示され、記載されたものに限定されないことを理解するのであろう。加えて、上記に反対の言及がなされない限り、添付の図面の全てが縮尺通りではないことに留意されたい。上記の教示に照らして、様々な修正及び変形が可能である。
【図１】
0006918136.tif 000002
【図２】
0006918136.tif 000003
【図３】
0006918136.tif 000004
【図４】
0006918136.tif 000005
【図５】
0006918136.tif 000006
【図６】
0006918136.tif 000007
【図７】
0006918136.tif 000008
【図８】
0006918136.tif 000009
【図９】
0006918136.tif 000010
【図１０】
0006918136.tif 000011
【図１１】
0006918136.tif 000012
【図１２】
0006918136.tif 000013
【図１３】
0006918136.tif 000014
【図１４】
0006918136.tif 000015
【図１５】
0006918136.tif 000016
【図１６】
0006918136.tif 000017
【図１７】
0006918136.tif 000018
【図１８】
0006918136.tif 000019
【図１９】
0006918136.tif 000020
【図２０】
0006918136.tif 000021
【図２１】
0006918136.tif 000022
【図２２】
0006918136.tif 000023
【図２３】
0006918136.tif 000024